【手続補正書】
【提出日】平成19年4月9日(2007.4.9)
【手続補正１】
【補正対象書類名】明細書
【補正対象項目名】特許請求の範囲
【補正方法】変更
【補正の内容】
【特許請求の範囲】
【請求項１】  使用する波長帯域で実質的に透明であり、異なった少なくとも２つ  の第１及び第２の光学材料が積層されると共に、少なくとも第１の光学材料の境界面に  レリーフパターンが形成された回折光学素子であって、
前記レリーフパターンの有効面外に設けられたカバー材当て付け部と、
使用する波長帯域で実質的に透明であり、前記カバー材当て付け部に接合されると共に  前記第２の光学材料に積層されるカバー材と、を備えていることを特徴とする回折光学  素子。
【請求項２】  前記カバー材当て付け部が、前記第１の光学材料又は前記カバー材  に一体的に形成されていることを特徴とする請求項１記載の回折光学素子。
【請求項３】  前記カバー材当て付け部が、前記第１の光学材料及び前記カバー材  と別体となっており、前記レリーフパターンの有効面外に位置するように前記第１の光  学材料に固定されることを特徴とする請求項１記載の回折光学素子。
【請求項４】  使用する波長帯域で実質的に透明であり、異なった少なくとも２つ  の第１及び第２の光学材料が積層され、少なくとも第１の光学材料の境界面にレリーフ  パターンが形成された回折光学素子を製造する方法であって、
前記レリーフパターンの有効面外に該有効面を囲むカバー材当て付け部を設け、前記カ  バー材当て付け部によって囲まれた前記レリーフパターン上に未硬化状態の前記第２の  光学材料を充填の後、真空状態に一定時間保持し、その後大気圧に戻す操作を少なくと も１回行った後に、使用する波長帯域で実質的に透明であるカバー材を前記カバー材当  て付け部に接合して前記第２の光学材料に積層し、その後、前記第２の光学材料を硬化  させることを特徴とする回折光学素子の製造方法。
【請求項５】  使用する波長帯域で実質的に透明であり、異なった少なくとも２つ  の第１及び第２の光学材料が積層され、少なくとも第１の光学材料の境界面にレリーフ  パターンが形成された回折光学素子を製造する方法であって、
前記レリーフパターンの有効面外に該有効面を囲むと共に、一部切り欠き部を有するカ  バー材当て付け部を設け、使用する波長帯域で実質的に透明であるカバー材を前記カバ  ー材当て付け部に接合して前記第１の光学材料と前記カバー材当て付け部及び前記カバ  ー材との間に空間を形成した後、前記切り欠き部から前記空間内に未硬化状態の前記第  ２の光学材料を充填して硬化させることを特徴とする回折光学素子の製造方法。
【請求項６】  使用する波長帯域で実質的に透明であり、異なった少なくとも２つ の第１及び第２の光学材料が積層され、少なくとも第１の光学材料の境界面にレリーフ パターンが形成された回折光学素子を製造する方法であって、
前記レリーフパターンの有効面外に該有効面を囲むと共に、一部切り欠き部を有するカ バー材当て付け部を設け、使用する波長帯域で実質的に透明であるカバー材を前記カバ ー材当て付け部に接合して第１の光学材料と前記カバー材当て付け部及び前記カバー材 との間に空間を形成して、真空槽内で前記切り欠き部を液状の前記第２の光学材料に浸 漬させて一定時間保持して、前記切り欠き部から前記空間内に前記第２の光学材料を浸 入させた後、前記真空槽内を大気圧に戻し、前記第２の光学材料を硬化させることを特 徴とする回折光学素子の製造方法。
【請求項７】  前記レリーフパターンの有効面外に位置するように前記カバー材当 て付け部を前記第１の光学材料に一体的に形成することを特徴とする請求項４乃至６の いずれかに記載の回折光学素子の製造方法。
【請求項８】  前記カバー材当て付け部を前記第１光学材料と別個に作製した後、 前記レリーフパターンの有効面外に固定することを特徴とする請求項４乃至６のいずれ かに記載の回折光学素子の製造方法。
【手続補正２】
【補正対象書類名】明細書
【補正対象項目名】００１５
【補正方法】変更
【補正の内容】
【００１５】
【発明が解決しようとする課題】  上記目的を達成するため、請求項１の発明の  回折光学素子は、使用する波長帯域で実質的に透明であり、異なった少なくとも２つの  第１及び第２の光学材料が積層されると共に、少なくとも第１の光学材料の境界面にレ  リーフパターンが形成された回折光学素子であって、前記レリーフパターンの有効面外  に設けられたカバー材当て付け部と、使用する波長帯域で実質的に透明であり、前記カ  バー材当て付け部に接合されると共に前記第２の光学材料に積層されるカバー材と、を  備えていることを特徴とする。
【手続補正３】
【補正対象書類名】明細書
【補正対象項目名】００１８
【補正方法】変更
【補正の内容】
【００１８】
これらの発明に用いる少なくとも２つの光学材料は、使用する波長帯  域、例えばカメラなどの白色光を用いる場合は４００〜８００ｎｍで実質的に透明であ  り、設計次数での回折効率が波長によらず高くなるように回折効率の波長依存性を低減  させるため、高屈折率低分散材料及び低屈折高分散材料の光学特性を有した組み合わせ  が選択される。高屈折率低分散材料としては、ガラスあるいは熱可塑性樹脂が選択され  、低屈折率高分散材料としては紫外線硬化型樹脂あるいは熱硬化性樹脂が選択される。  
【手続補正４】
【補正対象書類名】明細書
【補正対象項目名】００２０
【補正方法】変更
【補正の内容】
【００２０】
カバー材は、使用する波長帯域で実質的に透明であれば特に制限  はない。又、その形状は光学設計に適した任意の形状で良く、光学性能に影響を与えな  い単に平板状でも良く、球面あるいは非球面形状等のレンズ作用を有していても良い。  カバー材の材質としては、アクリル樹脂、ポリカーボネート（ＰＣ）、非晶質ポリオレ  フィンなどの樹脂又はガラスを選択することができる。
【手続補正５】
【補正対象書類名】明細書
【補正対象項目名】００２１
【補正方法】変更
【補正の内容】
【００２１】
カバー材当て付け部は、ポリスチレン（ＰＳ）、ポリカーボネート（ＰＣ）、リエチレンテレフタレート（ＰＥＴ）などを用いることができる．カバー材当て付け部としては、使用する波長帯域で透明である必要はなく、黒色等の不透明にして遮光性を付与しても良い。
【手続補正６】
【補正対象書類名】明細書
【補正対象項目名】００２２
【補正方法】変更
【補正の内容】
【００２２】
カバー材当て付け部は、レリーフパターンの有効面外に設けられるものであれば、境界面を形成する光学材料或いはカバー材の片方の面或いは両方の面に対して設けることができる。カバー材当て付け部はレリーフパターンの有効面外に位置するものであれば、全周が閉鎖したリング状や一部が欠けているリング状であっても良い。又、カバー材当て付け部の断面形状に制限はなく、液状の第２の光学材料を保持でき、カバー材が当て付けられるものであれば良い。従って、断面形状としては、平坦状、凸状、ジグザグ状などであっても良い。
【手続補正７】
【補正対象書類名】明細書
【補正対象項目名】００２３
【補正方法】変更
【補正の内容】
【００２３】
カバー材当て付け部は、請求項２、請求項３に記載されるように、いずれかの光学材料又はカバー材と同一材料で一体的に形成されていても良く、これらと同一材料あるいは異なる材料を用いてこれらと別体で作製されても良く、印刷や塗布などの手段によって形成されても良い。
【手続補正８】
【補正対象書類名】明細書
【補正対象項目名】００２４
【補正方法】変更
【補正の内容】
【００２４】
請求項４の発明の回折光学素子の製造方法は、使用する波長帯域で実  質的に透明であり、異なった少なくとも２つの第１及び第２の光学材料が積層され、少  なくとも第１の光学材料の境界面にレリーフパターンが形成された回折光学素子を製造  する方法であって、前記レリーフパターンの有効面外に該有効面を囲むカバー材当て付  け部を設け、前記カバー材当て付け部によって囲まれた前記レリーフパターン上に未硬  化状態の前記第２の光学材料を充填の後、真空状態に一定時間保持し、その後大気圧に 戻す操作を少なくとも１回行った後に、使用する波長帯域で実質的に透明であるカバー  材を前記カバー材当て付け部に接合して前記第２の光学材料に積層し、その後、前記第  ２の光学材料を硬化させることを特徴とする。
【手続補正９】
【補正対象書類名】明細書
【補正対象項目名】００３０
【補正方法】変更
【補正の内容】
【００３０】
請求項５の発明の回折光学素子の製造方法は、使用する波長帯域で実  質的に透明であり、異なった少なくとも２つの第１及び第２の光学材料が積層され、少  なくとも第１の光学材料の境界面にレリーフパターンが形成された回折光学素子を製造  する方法であって、前記レリーフパターンの有効面外に該有効面を囲むと共に、一部切 り欠き部を有するカバー材当て付け部を設け、使用する波長帯域で実質的に透明である  カバー材を前記カバー材当て付け部に接合して前記第１の光学材料と前記カバー材当て 付け部及び前記カバー材との間に空間を形成した後、前記切り欠き部から前記空間内に  未硬化状態の前記第２の光学材料を充填して硬化させることを特徴とする。
【手続補正１０】
【補正対象書類名】明細書
【補正対象項目名】００３４
【補正方法】変更
【補正の内容】
【００３４】
この方法によれば、レリーフパターンの谷部に気泡が混入するこ  とをより確実に防止できるとともに、真空槽内での注入のため、第２の光学材料に塵な  どの異物が侵入することを防止することができる。
【手続補正１１】
【補正対象書類名】明細書
【補正対象項目名】００３５
【補正方法】変更
【補正の内容】
【００３５】
なお、以上の発明の製造方法では、カバー材当て付け部を第１光学  材料と別個に作製した後、レリーフパターンの有効面外に固定しても良い。すなわち、  カバー材当て付け部としては、樹脂を所定の径に打ち抜くなどあらかじめ任意な方法で  製作しておき、このカバー材当て付け部を第１の光学材料のレリーフパターンの有効面  外に接着などによって積層することができる。この方法によれば、カバー材当て付け部  を単独で製作するので、厚さや形状などの寸法を精度良くすることが可能である。
【手続補正１２】
【補正対象書類名】明細書
【補正対象項目名】００４７
【補正方法】変更
【補正の内容】
【００４７】
次に、図５に示すように、レリーフパターン２１の有効面外にエポキ  シ系インクをスクリーン印刷して幅３００μｍ、膜厚３０μｍのカバー材当て付け部２  ２を形成する。このときには、カバー材当て付け部２２の一部に切り欠き部２３を設け  、全周には印刷しない。